【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
バイオメトリクスを表現するための装置において、
画像内に描かれたバイオメトリクスに対応する特徴を抽出し、前記特徴のうちの少なくともいくつかにより少なくとも１つの幾何学的形状からなる少なくとも１つのセットを定義するためのバイオメトリック特徴抽出器であって、前記少なくとも１つの幾何学的形状のそれぞれが前記画像の少なくとも一部分に適用される第１のセットの変換に関して変化しない少なくとも１つの幾何学的特徴を有する、バイオメトリック特徴抽出器と、
前記少なくとも１つの幾何学的特徴のうちの少なくとも１つを含む少なくとも１つの特徴表現を入手するために前記画像の前記少なくとも一部分に前記第１のセットの変換を適用し、少なくとも１つの変換された特徴表現を入手するために前記少なくとも１つの特徴表現に第２のセットの変換を適用するための変換器と、
を有する装置。
【請求項２】
前記少なくとも１つの変換された特徴表現が、前記少なくとも１つの変換された特徴表現内の他の要素との相関関係のない少なくとも１つの要素を有し、前記少なくとも１つの要素と前記他の要素のうちの少なくとも１つが、互いに相関関係のない要素からなる要素セットを形成し、前記要素セットが前記バイオメトリクスを表現するためのものである、請求項１に記載の装置。
【請求項３】
前記少なくとも１つの変換された特徴表現が、相関関係許容差を超えるほど前記少なくとも１つの変換された特徴表現内の前記他の要素との相関関係のない前記少なくとも１つの要素を有する、請求項２に記載の装置。
【請求項４】
前記他の要素のうち、相関関係のある少なくとも１つが前記要素セットから除外される、請求項２に記載の装置。
【請求項５】
ハッシュ、識別プロセス、および選択プロセスのうちの少なくとも１つのために前記バイオメトリクスおよび前記画像のうちの少なくとも１つを表現するために、前記要素セットが索引として使用される、請求項２に記載の装置。
【請求項６】
前記索引がｎベースの索引であり、前記ｎベースの索引のビット数の規模が少なくとも２つの変換された特徴表現軸間の相関関係の程度によって決定される、請求項５に記載の装置。
【請求項７】
前記少なくとも１つの変換された特徴表現が、相関関係の程度によって降順に配置された少なくとも１つの相関関係のない要素と少なくとも１つの相関関係のある要素とを有し、前記少なくとも１つの相関関係のない要素と前記少なくとも１つの相関関係のある要素のうちの残りの要素が、互いに相関関係のない少なくとも２つの要素からなる要素セットを形成するように、前記少なくとも１つの相関関係のある要素のうちの少なくとも１つが除外され、前記要素セットが前記バイオメトリクスを表現するために使用されるｎビットの索引に量子化される、請求項２に記載の装置。
【請求項８】
前記要素セットの前記量子化が、相関関係しきい値を超える幾何学的形状を削除し、前記少なくとも１つの幾何学的形状のいずれかの最大数のみを許可し、前記少なくとも１つの幾何学的形状のいずれかをより単純な表現に変え、前記少なくとも１つの幾何学的形状のいずれかを単一の固有の識別子に変える、請求項７に記載の装置。
【請求項９】
非幾何学的であり、前記画像の前記一部分に適用される任意の剛性変換に関して変化しない少なくとも１つの測光特徴を前記画像から抽出するための測光特徴抽出器をさらに有し、前記少なくとも１つの測光特徴のそれぞれが前記少なくとも１つの幾何学的特徴のそれぞれに関連する前記画像の一領域に関連付けられ、前記少なくとも１つの特徴表現が前記少なくとも１つの測光特徴のうちの少なくとも１つをさらに含む、請求項１に記載の装置。
【請求項１０】
前記領域が、前記少なくとも１つの幾何学的形状の少なくとも１つ、前記少なくとも１つの幾何学的形状の内部、前記少なくとも１つの幾何学的形状の許容距離内の一領域、前記少なくとも１つの幾何学的形状の少なくとも３つの頂点がその上に存在する境界を有する曲線形状、前記少なくとも１つの幾何学的形状の少なくとも３つの頂点がその上に存在する境界を有する円形領域によって定義される、請求項９に記載の装置。
【請求項１１】
前記少なくとも１つの変換された特徴表現のうちの前記少なくとも１つの要素と他の要素を相関関係の程度によって降順に配置するための順序付け装置をさらに有する、請求項１に記載の装置。
【請求項１２】
前記順序付け装置が順序付けプロセスを実行する前に、前記少なくとも１つの幾何学的特徴のうちの少なくとも１つと前記画像から抽出された前記特徴のうちの少なくとも１つが結合される、請求項１１に記載の装置。
【請求項１３】
前記順序付け装置が、前記少なくとも１つの幾何学的特徴のうちの少なくとも１つについて、その後、前記画像から抽出された前記特徴のうちの少なくとも１つについて、順序付けプロセスを実行し、次に対応する順序付けの結果を結合する、請求項１１に記載の装置。
【請求項１４】
前記第１のセットの変換が相似変換に関して変化しない、請求項１に記載の装置。
【請求項１５】
登録画像が登録テンプレートによって表現され、前記登録テンプレートが前記少なくとも１つの幾何学的形状のうちの前記少なくとも１つに関連する前記少なくとも１つの幾何学的特徴のいずれかの非相関関係の程度によって順序付けられた前記少なくとも１つの幾何学的形状のうちの少なくとも１つである、請求項１に記載装置。
【請求項１６】
そこに登録テンプレートを保管するための少なくとも１つのデータベースと、
照会テンプレートを受け取る照会入力であって、前記照会テンプレートが前記少なくとも１つの幾何学的形状のうちの前記少なくとも１つに関連する前記少なくとも１つの幾何学的特徴のいずれかの非相関関係の程度によって順序付けられた前記少なくとも１つの幾何学的形状のうちの少なくとも１つである照会入力と、
前記照会テンプレートを保管された前記登録テンプレートと比較し、前記照会テンプレートに対応する照会画像に最も類似した少なくとも１つの登録画像を識別するための比較結果を出力する比較器と、
をさらに有する、請求項１に記載の装置。
【請求項１７】
前記照会テンプレートとそれに対応する登録テンプレートに共通するいくつかの索引によって登録画像と前記照会画像との相似性が確認される、請求項１６に記載の装置。
【請求項１８】
前記照会テンプレートとそれに対応する登録テンプレート内の共通索引に索引を付け、共通相似変換によって互いに関連する、複数対の選択され登録された照会幾何学的形状によって登録画像と照会画像との相似性が確認される、請求項１６に記載の装置。
【請求項１９】
バイオメトリクスを表現するための方法において、
画像内に描かれたバイオメトリクスに対応する特徴を抽出するステップと、
前記特徴のうちの少なくともいくつかにより少なくとも１つの幾何学的形状からなる少なくとも１つのセットを定義するステップであって、前記少なくとも１つの幾何学的形状のそれぞれが前記画像の少なくとも一部分に適用される第１のセットの変換に関して変化しない少なくとも１つの幾何学的特徴を有するステップと、
前記少なくとも１つの幾何学的特徴のうちの少なくとも１つを含む少なくとも１つの特徴表現を入手するために前記画像の前記少なくとも一部分に前記第１のセットの変換を適用するステップと、
少なくとも１つの変換された特徴表現を入手するために前記少なくとも１つの特徴表現に第２のセットの変換を適用するステップと、
を含む方法。
【請求項２０】
請求項１９に記載の前記各ステップをコンピュータに実行させるコンピュータ・プログラム。